(57)【特許請求の範囲】
【請求項１】
情報の記憶手段、外部装置との通信手段、及びこれら各手段の動作を制御する情報の処理手段を備え、
前記記憶手段が、保護者接続先情報を格納する被保護者映像配信装置であって、
前記処理手段は、
（ａ）前記外部装置との通信手段を介して、被保護者端末から被保護者音声情報を受信すること、
（ｂ）前記受信した被保護者音声情報の泣き声の継続時間を計測すること、
（ｃ）前記計測において泣き声が所定の時間以上継続することを条件として、前記記憶手段から保護者接続先情報を読み出すこと、
（ｄ）前記外部装置との通信手段を介して、前記読み出した保護者接続先情報の示す保護者端末に接続すること、
（ｅ）前記外部装置との通信手段を介して、少なくとも被保護者映像情報を受信し、当該受信した被保護者映像情報を前記接続した保護者端末に送信すること、を特徴とした被保護者映像配信装置。
【請求項２】
情報の記憶手段、外部装置との通信手段、及びこれら各手段の動作を制御する情報の処理手段を備え、
前記記憶手段が、保護者音声ファイルを格納する保護者音声ファイル配信装置であって、
前記処理手段は、
（ａ）前記外部装置との通信手段を介して、被保護者端末から被保護者音声情報を受信すること、
（ｂ）前記受信した被保護者音声情報の泣き声の継続時間を計測すること、
（ｃ）前記計測において泣き声が所定の時間以上継続することを条件として、前記記憶手段から保護者音声ファイルを読み出すこと、
（ｄ）前記外部装置との通信手段を介して、前記読み出した保護者音声ファイルを被保護者端末に送信すること、
を特徴とした保護者音声ファイル配信装置。
【請求項３】
情報の記憶手段、外部装置との通信手段、及びこれら各手段の動作を制御する情報の処理手段を備え、
前記記憶手段が、音声解析情報と保護者音声ファイルとを関連付けて格納する保護者音声ファイル配信装置において、
前記処理手段は、
（ａ）前記外部装置との通信手段を介して、被保護者端末から被保護者音声情報を受信すること、
（ｂ）前記受信した被保護者音声情報を解析し、解析結果と一致する音声解析情報を前記記憶手段から特定すること、
（ｃ）前記記憶手段から、前記特定した音声解析情報に関連付けられた保護者音声ファイルを読み出すこと、
（ｄ）前記読み出した保護者音声ファイルを被保護者端末に送信すること、
を特徴とした保護者音声ファイル配信装置。
【請求項４】
情報の記憶手段、外部装置との通信手段、及びこれら各手段の動作を制御する情報の処理手段を備え、
前記記憶手段が、音声種別解析情報と被保護者音声解析情報と保護者音声ファイルとを関連付けて格納する保護者音声ファイル配信装置において、
前記処理手段は、
（ａ）前記外部装置との通信手段を介して、被保護者端末から被保護者音声情報を受信すること、
（ｂ）前記受信した被保護者音声情報を解析し、解析結果と一致する前記音声種別解析情報を前記記憶手段から特定すること、
（ｃ）さらに、前記受信した被保護者音声情報を解析し、解析結果と一致する前記被保護者音声解析情報を前記記憶手段から特定すること、
（ｄ）前記記憶手段から、前記特定した音声種別解析情報と被保護者音声解析情報とに関連付けられた保護者音声ファイルを読み出すこと、
（ｅ）前記読み出した保護者音声ファイルを被保護者端末に送信すること、
を特徴とした保護者音声ファイル配信装置。
【請求項５】
前記保護者音声ファイルは、保護者の心音が記録された音声ファイルであることを特徴とした請求項２、３又は４記載の保護者音声ファイル配信装置。
【請求項６】
情報の記憶手段、外部装置との通信手段、及びこれら各手段の動作を制御する情報の処理手段を備え、
前記記憶手段が、保護者画像ファイルを格納する保護者画像ファイル配信装置であって、
前記処理手段は、
（ａ）前記外部装置との通信手段を介して、被保護者端末から被保護者音声情報を受信すること、
（ｂ）前記受信した被保護者音声情報の泣き声の継続時間を計測すること、
（ｃ）前記計測において泣き声が所定の時間以上継続することを条件として、前記記憶手段から保護者画像ファイルを読み出すこと、
（ｄ）前記外部装置との通信手段を介して、前記読み出した保護者画像ファイルを被保護者端末に送信すること、
を特徴とした保護者画像ファイル配信装置。
【請求項７】
情報の記憶手段、外部装置との通信手段、及びこれら各手段の動作を制御する情報の処理手段を備え、
前記記憶手段が、音声解析情報と保護者画像ファイルとを関連付けて格納する保護者画像ファイル配信装置において、
前記処理手段は、
（ａ）前記外部装置との通信手段を介して、被保護者端末から被保護者音声情報を受信すること、
（ｂ）前記受信した被保護者音声情報を解析し、解析結果と一致する音声解析情報を前記記憶手段から特定すること、
（ｃ）前記記憶手段から、前記特定した音声解析情報に関連付けられた保護者画像ファイルを読み出すこと、
（ｄ）前記読み出した保護者画像ファイルを被保護者端末に送信すること、
を特徴とした保護者画像ファイル配信装置。
【請求項８】
情報の記憶手段、外部装置との通信手段、及びこれら各手段の動作を制御する情報の処理手段を備え、
前記記憶手段が、音声種別解析情報と被保護者音声解析情報と保護者画像ファイルとを関連付けて格納する保護者画像ファイル配信装置において、
前記処理手段は、
（ａ）前記外部装置との通信手段を介して、被保護者端末から被保護者音声情報を受信すること、
（ｂ）前記受信した被保護者音声情報を解析し、解析結果と一致する前記音声種別解析情報を前記記憶手段から特定すること、
（ｃ）さらに、前記受信した被保護者音声情報を解析し、解析結果と一致する前記被保護者音声解析情報を前記記憶手段から特定すること、
（ｄ）前記記憶手段から、前記特定した音声種別解析情報と被保護者音声解析情報とに関連付けられた保護者画像ファイルを読み出すこと、
（ｅ）前記読み出した保護者画像ファイルを被保護者端末に送信すること、
を特徴とした保護者画像ファイル配信装置。
【請求項９】
情報の記憶手段、外部装置との通信手段、及びこれら各手段の動作を制御する情報の処理手段を備え、
前記記憶手段が、被保護者音声解析情報と保護者接続先情報とを関連付けて格納する保護者端末接続装置において、
前記処理手段は、
（ａ）前記外部装置との通信手段を介して、被保護者端末から被保護者音声情報を受信すること、
（ｂ）前記受信した被保護者音声情報を解析し、解析結果と一致する前記被保護者音声解析情報を前記記憶手段から特定すること、
（ｃ）前記特定した被保護者音声解析情報に関連付けられた保護者接続先情報を前記記憶手段から読み出すこと、
（ｄ）前記外部装置との通信手段を介して、前記読み出した保護者接続先情報が示す保護者端末と被保護者端末とを接続すること、
を特徴とした保護者端末接続装置。
【請求項１０】
請求項９記載の保護者端末接続装置において、
前記処理手段は、前記外部装置との通信手段を介して、前記読み出した保護者接続先情報の示す保護者端末と被保護者端末とを接続した後に、さらに前記外部との通信手段を介して、被保護者端末から被保護者映像情報を受信し、当該受信した被保護者映像情報を前記保護者端末に送信すること、を特徴とした保護者端末接続装置。
【発明の詳細な説明】
【０００１】
【発明の属する技術分野】
本発明は、被保護者端末または保護者端末への情報配信に関し、被保護者の音声の状況に応じて映像や音声を送受信し、保護者に安心感を与える被保護者映像配信装置、保護者音声ファイル配信装置、保護者画像ファイル配信装置および保護者端末接続装置に関する。
【０００２】
【従来の技術】
保育施設内部に被保護者の監視カメラを設置し、監視カメラからの映像を保護者に配信するなどして、遠隔地にいる保護者に安心感を与える装置などが既に考えられている。
【０００３】
【発明が解決しようとする課題】
しかしながら、保護者が遠隔地で被保護者の状況を確認するためには常に監視カメラの映像を注視しつづけなければならず、常に安心感を得ることはできなかった。また、被保護者が泣いているなどの状況下においては、被保護者を泣きやませるなどしなければ、保護者は遠隔地において常に安心感を得るということはできなかった。
【０００４】
【発明の目的】
本発明は、かかる従来例の有する不都合を改善し、特に、被保護者の状況に応じて保護者又は被保護者に対し必要な情報を提供し、遠隔地にいる保護者に常に安心感を与えるシステムを構築することを目的とする。
【０００５】
【課題を解決するための手段】
上記目的を達成するため、請求項１記載の発明では、情報の記憶手段、外部装置との通信手段、及びこれら各手段の動作を制御する情報の処理手段を備え、前記記憶手段が、保護者接続先情報を格納する。
【０００６】
そして、前記処理手段は、ａ）前記外部との通信手段を介して、被保護者端末から被保護者音声情報を受信すること、ｂ）前記受信した被保護者音声情報の泣き声の継続時間を計測すること、ｃ）前記計測において泣き声が所定の時間以上継続することを条件として、前記記憶手段から保護者接続先情報を読み出すこと、ｄ）前記外部との通信手段を介して、前記読み出した保護者接続先情報の示す保護者端末に接続すること、ｅ）前記外部との通信手段を介して、少なくとも被保護者映像情報を受信し、当該受信した被保護者映像情報を前記接続した保護者端末に送信すること、を特徴としている。
【０００７】
本発明によると、処理手段が被保護者の泣き声が所定の時間以上発せられていることを条件として保護者端末を接続し、被保護者映像情報を受信するので、被保護者が長時間泣いている状況になったときに被保護者映像情報を保護者端末に送信することができる。
【０００８】
また、請求項２記載の発明では、情報の記憶手段、外部装置との通信手段、及びこれら各手段の動作を制御する情報の処理手段を備え、前記記憶手段が、保護者音声ファイルを格納する。
【０００９】
そして、前記処理手段は、ａ）前記外部装置との通信手段を介して、被保護者端末から被保護者音声情報を受信すること、ｂ）前記受信した被保護者音声情報の泣き声の継続時間を計測すること、ｃ）前記計測において泣き声が所定の時間以上継続することを条件として、前記記憶手段から保護者音声ファイルを読み出すこと、ｄ）前記外部装置との通信手段を介して、前記読み出した保護者音声ファイルを被保護者端末に送信すること、を特徴としている。
【００１０】
本発明によると、処理手段が被保護者の泣き声が所定の時間以上発せられていることを条件として保護者音声ファイルを読み出すので、被保護者が長時間泣いている状況になったときに保護者音声ファイルを被保護者端末に送信することができる。
【００１１】
請求項３記載の発明では、情報の記憶手段、外部装置との通信手段、及びこれら各手段の動作を制御する情報の処理手段を備え、前記記憶手段が、音声解析情報と保護者音声ファイルとを関連付けて格納する。
【００１２】
そして、前記処理手段は、ａ）前記外部装置との通信手段を介して、被保護者端末から被保護者音声情報を受信すること、ｂ）前記受信した被保護者音声情報を解析し、解析結果と一致する音声解析情報を前記記憶手段から特定すること、ｃ）前記記憶手段から、前記特定した音声解析情報に関連付けられた保護者音声ファイルを読み出すこと、ｄ）前記読み出した保護者音声ファイルを被保護者端末に送信すること、を特徴としている。
【００１３】
本発明によると、処理手段が被保護者の音声により音声解析情報を特定し、これに関連付けられた保護者音声ファイルを読み出すため、被保護者の泣き方の状況に合った保護者音声ファイルを送信することができる。
【００１４】
請求項４記載の発明では、情報の記憶手段、外部装置との通信手段、及びこれら各手段の動作を制御する情報の処理手段を備え、前記記憶手段が、音声種別解析情報と被保護者音声解析情報と保護者音声ファイルとを関連付けて格納する。
【００１５】
そして、前記処理手段は、ａ）前記外部装置との通信手段を介して、被保護者端末から被保護者音声情報を受信すること、ｂ）前記受信した被保護者音声情報を解析し、解析結果と一致する前記音声種別解析情報を前記記憶手段から特定すること、ｃ）さらに、前記受信した被保護者音声情報を解析し、解析結果と一致する前記被保護者音声解析情報を前記記憶手段から特定すること、ｄ）前記記憶手段から、前記特定した音声種別解析情報と被保護者音声解析情報とに関連付けられた保護者音声ファイルを読み出すこと、ｅ）前記読み出した保護者音声ファイルを被保護者端末に送信すること、を特徴としている。
【００１６】
本発明によると、処理手段が被保護者の音声により音声種別解析情報と被保護者音声解析情報とを特定し、これらに関連付けられた保護者音声ファイルを読み出すため、被保護者の泣き方の状況に合った保護者音声ファイルを送信することができる。
【００１７】
請求項５記載の発明では、前記保護者音声ファイルが、保護者の心音が記録された音声ファイルであることを特徴とした請求項２、３又は４記載の保護者音声ファイル配信装置となっている。
【００１８】
請求項６記載の発明では、情報の記憶手段、外部装置との通信手段、及びこれら各手段の動作を制御する情報の処理手段を備え、前記記憶手段が、保護者画像ファイルを格納する。
【００１９】
そして、前記処理手段は、ａ）前記外部装置との通信手段を介して、被保護者端末から被保護者音声情報を受信すること、ｂ）前記受信した被保護者音声情報の泣き声の継続時間を計測すること、ｃ）前記計測において泣き声が所定の時間以上継続することを条件として、前記記憶手段から保護者画像ファイルを読み出すこと、ｄ）前記外部装置との通信手段を介して、前記読み出した保護者画像ファイルを被保護者端末に送信すること、を特徴としている。
【００２０】
本発明によると、処理手段が被保護者の泣き声が所定の時間以上発せられていることを条件として保護者画像ファイルを読み出すので、被保護者が長時間泣いている状況になったときに保護者画像ファイルを被保護者端末に送信することができる。
【００２１】
請求項７記載の発明では、情報の記憶手段、外部装置との通信手段、及びこれら各手段の動作を制御する情報の処理手段を備え、前記記憶手段が、音声解析情報と保護者画像ファイルとを関連付けて格納する。
【００２２】
そして、前記処理手段は、ａ）前記外部装置との通信手段を介して、被保護者端末から被保護者音声情報を受信すること、ｂ）前記受信した被保護者音声情報を解析し、解析結果と一致する音声解析情報を前記記憶手段から特定すること、ｃ）前記記憶手段から、前記特定した音声解析情報に関連付けられた保護者画像ファイルを読み出すこと、ｄ）前記読み出した保護者画像ファイルを被保護者端末に送信すること、を特徴としている。
【００２３】
本発明によると、処理手段が被保護者の音声により音声解析情報を特定し、これに関連付けられた保護者画像ファイルを読み出すため、被保護者の泣き方の状況に合った保護者画像ファイルを送信することができる。
【００２４】
請求項８記載の発明では、情報の記憶手段、外部装置との通信手段、及びこれら各手段の動作を制御する情報の処理手段を備え、前記記憶手段が、音声種別解析情報と被保護者音声解析情報と保護者画像ファイルとを関連付けて格納する。
【００２５】
前記処理手段は、ａ）前記外部装置との通信手段を介して、被保護者端末から被保護者音声情報を受信すること、ｂ）前記受信した被保護者音声情報を解析し、解析結果と一致する前記音声種別解析情報を前記記憶手段から特定すること、ｃ）さらに、前記受信した被保護者音声情報を解析し、解析結果と一致する前記被保護者音声解析情報を前記記憶手段から特定すること、ｄ）前記記憶手段から、前記特定した音声種別解析情報と被保護者音声解析情報とに関連付けられた保護者画像ファイルを読み出すこと、ｅ）前記読み出した保護者画像ファイルを被保護者端末に送信すること、を特徴としている。
【００２６】
本発明によると、処理手段が被保護者の音声により音声種別解析情報と被保護者音声解析情報とを特定し、これらに関連付けられた保護者画像ファイルを読み出すため、被保護者の泣き方の状況に合った保護者画像ファイルを送信することができる。
【００２７】
また、請求項９記載の発明では、情報の記憶手段、外部装置との通信手段、及びこれら各手段の動作を制御する情報の処理手段を備え、前記記憶手段が、被保護者音声解析情報と保護者接続先情報とを関連付けて格納する。
【００２８】
そして、前記処理手段は、ａ）前記外部装置との通信手段を介して、被保護者端末から被保護者音声情報を受信すること、ｂ）前記受信した被保護者音声情報を解析し、解析結果と一致する前記被保護者音声解析情報を前記記憶手段から特定すること、ｃ）前記特定した被保護者音声解析情報に関連付けられた保護者接続先情報を前記記憶手段から読み出すこと、ｄ）前記外部装置との通信手段を介して、前記読み出した保護者接続先情報が示す保護者端末と被保護者端末とを接続すること、を特徴としている。
【００２９】
本発明によると、処理手段が被保護者の音声を解析し、解析結果と一致する被保護者音声解析情報を特定するので、確実に接続先を特定すべく固体識別をすることができる。
【００３０】
請求項１０記載の発明では、請求項９記載の保護者端末接続装置において、前記処理手段が、前記外部装置との通信手段を介して、前記読み出した保護者接続先情報の示す保護者端末と被保護者端末とを接続した後に、さらに前記外部との通信手段を介して、少なくとも被保護者端末から被保護者映像情報を受信し、当該受信した被保護者映像情報を前記保護者端末に送信すること、を特徴としている。
【００３１】
本発明によると、処理手段が被保護者の音声を解析し、被保護者端末と接続対象となる保護者端末とを自動接続し、さらに被保護者映像を受信するので配信間隔が広がらないように被保護者映像を保護者端末に送信することができる。
【００３２】
以上により、前述した目的を達成しようとするものである。
【００３３】
【発明の実施の形態】
［被保護者映像配信装置の実施形態］
【００３４】
以下、本発明の実施形態を図１乃至図２に基いて説明する。
【００３５】
図１は、被保護者映像配信システムの全体を示すブロック図である。
【００３６】
被保護者端末２１は、被保護者音声情報を被保護者から取得し、当該被保護者音声情報を被保護者映像配信装置１００に送信する端末である。保護者端末４１は、映像情報の視聴が可能な携帯電話などの携帯情報端末である。
【００３７】
より詳細には、被保護者端末２１は、インターネット１１を介して被保護者映像配信装置１００に接続されている。また、保護者端末４１は、インターネット１１と携帯端末回線網３１を介して被保護者映像配信装置１００に接続されている。尚、保護者端末４１は、携帯回線網に接続せず、インターネットプロバイダなどを介してインターネット１１に接続するＰＤＡ端末やコンピュータ端末であってもよい。
【００３８】
被保護者端末２１は、不図示の情報の処理手段、外部装置との通信手段、音声情報の取得手段とを備える。ここで、音声情報の取得手段とは、マイクや取得した音声を増幅するアンプ、音声情報のみを抽出するフィルターなどを含む手段である。
【００３９】
保護者端末４１は、不図示の情報の処理手段、外部装置との通信手段、映像の視聴手段とを備える。
【００４０】
被保護者映像配信装置１００は、情報の記憶手段１０１、情報の処理手段１０２、外部装置との通信手段１０３とを備えている。
【００４１】
ここで、記憶手段１０１は、ＲＡＭやＲＯＭなどのメモリや、ハードディスクドライブ、フレキシブルディスク、ＭＯなどの読み書き可能な記憶媒体及び、ＣＤ−ＲＯＭドライブなどの読みこみ可能な記憶媒体である。図１では、便宜上１つの記憶手段のみが記載されているが、複数の記憶媒体を分散配置した構成であってもよい。
【００４２】
また、記憶手段の所定の領域には、保護者接続先情報１０１ａが格納されている。保護者接続先情報１０１ａは、保護者の接続先を示す情報であり保護者の携帯電話の電話番号や保護者端末のＩＰアドレスなどの情報である。
【００４３】
また、記憶手段の所定の領域には、被保護者音声情報を記憶する不図示の被保護者音声情報記憶領域が用意されている。被保護者音声情報とは、被保護者が発する泣き声などの音声情報である。
【００４４】
さらに、記憶手段１０１の所定の領域には、不図示の、泣き声情報が格納されている。泣き声情報とは、泣き声の時系列の振幅や周波数ごとの振幅などの、泣き声の特徴を記録した情報である。
【００４５】
外部装置との通信手段１０３は、ネットワークインターフェースであって、たとえばモデムやＬＡＮボードなどの通信装置である。さらに通信手段１０３は、これらの通信装置と処理手段１０２とを接続するインターフェースなども含む。
【００４６】
処理手段１０２は、ＭＰＵなどの演算装置である。ただし１つに限られるものではなく、複数のＭＰＵや複数種類の演算装置により分散処理を可能としたものであってもよい。
【００４７】
そして、記憶手段１０１、外部装置との通信手段１０３は各機器用のインターフェースやバスなどを介して、処理手段１０２に接続されている。
【００４８】
次に、本実施形態における被保護者映像配信システムの動作について図２を用いて説明する。図２は、被保護者映像配信処理を示すフローチャートである。
【００４９】
まず、前段階として被保護者端末２１の処理手段は、音声の取得手段を介して被保護者から被保護者音声情報を取得する。そして、被保護者端末２１の処理手段は、取得した被保護者音声情報を被保護者端末２１の通信手段を介して、被保護者映像配信装置１００に送信する。
【００５０】
上述のような前処理に引き続き、被保護者映像配信装置１００上において、処理手段１０２は、通信手段１０３を介して被保護者端末２１から被保護者音声情報を受信する（Ｓ１０１）。被保護者音声情報を受信すると、処理手段１０２は、被保護者音声情報を解析し、当該音声が泣き声であるか否かを判別する。具体的には、処理手段１０２は、被保護者音声情報の時系列の振幅や周波数ごとの振幅の形状を解析し、予め記憶手段１０１に格納された泣き声の時系列の振幅や周波数ごとの振幅の特徴を示す泣き声情報とを比較する。そして、比較の結果両者が一致、若しくは近似しているときに、処理手段１０２は、被保護者音声情報が泣き声であると判別する。そして、被保護者音声情報が泣き声であると判別すると、処理手段１０２は、受信した被保護者音声情報の泣き声の継続時間を計測する（Ｓ１０２）。前記計測において泣き声が所定の時間以上継続することを条件として、処理手段１０２は、記憶手段から保護者接続先情報を読み出す（Ｓ１０３）。保護者接続先情報を読み出すと、処理手段１０２は、通信手段１０３を介して前記読み出した保護者接続先情報が示す保護者端末に接続する（Ｓ１０４）。保護者端末に接続すると、処理手段１０２は、通信手段１０３を介して少なくとも被保護者映像情報を受信し（Ｓ１０５）、当該受信した被保護者映像情報を前記接続した保護者端末４１に送信する（Ｓ１０６）。
【００５１】
保護者端末４１に被保護者映像情報が送信されると、保護者端末４１の処理手段は、通信手段を介して被保護者映像情報を受信する。そして、保護者端末４１の処理手段は、映像の視聴手段を介して、受信した被保護者映像情報を再生する。
【００５２】
ここで、被保護者端末２１と保護者端末４１が複数存在することとし、さらに記憶手段１００は、被保護者端末を識別する情報である保護者接続先情報１０１ａを被保護者端末識別情報と被保護者映像情報とに関連付けて記憶することとしてもよい。そして、処理手段１０２は、通信手段１０３を介して被保護者端末３０から送信される被保護者識別情報を受信し、受信した被保護者端末識別情報に関連付けられた保護者端末に接続することとしてもよい。
【００５３】
また、処理手段１０２は、被保護者映像情報のみを受信し当該被保護者映像情報を保護者端末４１に送信することとしているが、通信手段を介して被保護者音声情報を同時に保護者端末４１に送信することとしてもよい。
【００５４】
さらに、保護者と被保護者が複数存在することとして、処理手段１００が、被保護者端末２１から受信した被保護者音声情報を声紋分析などにより解析し、被保護者を特定することとしてもよい。そして、処理手段１００は、被保護者に関連付けられた保護者端末４１に接続することとしてもよい。
【００５５】
以上説明したように、本実施形態にかかる被保護者映像配信装置では、被保護者が長時間泣いているときに自動的に被保護者の映像が保護者側に送信されるため、保護者は遠隔地にいても被保護者が泣いている状況を把握することができる。したがって、保護者は、被保護者の緊急事態を常に把握できる状況を得ることができるという点で安心感を得ることができる。
【００５６】
［保護者音声ファイル配信装置の第１の実施形態］
【００５７】
以下、本発明の実施形態を図３乃至図４に基いて説明する。
【００５８】
図３は、第１の保護者音声ファイル配信システムの全体を示すブロック図である。
【００５９】
被保護者端末２２は、被保護者音声情報を被保護者から取得し、当該被保護者音声情報を保護者音声ファイル配信装置２００に送信し、さらに保護者音声ファイル配信装置２００から送信された保護者音声ファイルを再生する端末である。
【００６０】
より詳細には、被保護者端末２２は、インターネット１２を介して保護者音声ファイル配信装置２００に接続されている。そして、被保護者端末２２は、不図示の情報の処理手段、外部装置との通信手段、音声情報の取得手段、音声情報の再生手段とを備える。ここで、処理手段は、ＭＰＵなどの演算装置である。また、通信手段は、ネットワークインターフェースであって、たとえば、モデム、ターミナルアダプタ、ＬＡＮボードなどの通信装置である。また、音声情報の取得手段とは、マイクや取得した音声を増幅するアンプ、音声情報のみを抽出するフィルターなどを含む手段である。また、音声情報の再生手段は、受信した保護者音声ファイルを処理手段がアナログ音声に変換した後、当該アナログ音声を増幅するアンプや出力するスピーカーを含む手段である。そして、上記の通信手段、音声情報の取得手段、音声情報の再生手段は、各機器のインターフェースやバスなどを介して、処理手段に接続されている。
【００６１】
保護者音声ファイル配信装置２００は、情報の記憶手段２０１、情報の処理手段２０２、外部装置との通信手段２０３とを備えている。
【００６２】
ここで、記憶手段２０１は、ＲＡＭやＲＯＭなどのメモリや、ハードディスクドライブ、フレキシブルディスク、ＭＯなどの読み書き可能な記憶媒体及び、ＣＤ−ＲＯＭドライブなどの読みこみ可能な記憶媒体である。図３では、便宜上１つの記憶手段のみが記載されているが、複数の記憶媒体を分散配置した構成であってもよい。
【００６３】
また、記憶手段２０１の所定の領域には、保護者音声ファイル２０１ａが格納されている。保護者音声ファイル２０１ａは、保護者の音声が記録されたファイルであり、保護者による子守唄や保護者の心音などの、被保護者に聴かせると被保護者が落ち着く音声が記録されたファイルである。
【００６４】
また、記憶手段の所定の領域には、被保護者音声情報を記憶する不図示の被保護者音声情報記憶領域が用意されている。被保護者音声情報とは、被保護者が発する泣き声などの音声情報である。
【００６５】
さらに、記憶手段２０１の所定の領域には、不図示の、泣き声情報が格納されている。泣き声情報とは、泣き声の時系列の振幅や周波数ごとの振幅などの、泣き声の特徴を記録した情報である。
【００６６】
外部装置との通信手段２０３は、ネットワークインターフェースであって、たとえばモデムやＬＡＮボードなどの通信装置である。さらに通信手段２０３は、これらの通信装置と処理手段２０２とを接続するインターフェースなども含む。
【００６７】
処理手段２０２は、ＭＰＵなどの演算装置である。ただし１つに限られるものではなく、複数のＭＰＵや複数種類の演算装置により分散処理を可能としたものであってもよい。
【００６８】
そして、記憶手段２０１、外部装置との通信手段２０３は各機器用のインターフェースやバスなどを介して、処理手段２０２に接続されている。
【００６９】
次に、本実施形態における保護者音声ファイル配信システムの動作について図４を用いて説明する。図４は、保護者音声ファイル配信処理を示すフローチャートである。
【００７０】
まず、前段階として被保護者端末２２の処理手段は、音声の取得手段を介して被保護者から被保護者音声情報を取得する。そして、被保護者端末２２の処理手段は、取得した被保護者音声情報を被保護者端末２２の通信手段を介して、保護者音声ファイル配信装置２００に送信する。
【００７１】
上述の動作に引き続き、保護者音声ファイル配信装置２００上において、処理手段２０２は、通信手段２０３を介して被保護者端末２２から被保護者音声情報を受信する（Ｓ２０１）。被保護者音声情報を受信すると、処理手段２０２は、被保護者音声情報を解析し、当該音声が泣き声であるか否かを判別する。具体的には、処理手段２０２は、被保護者音声情報の時系列の振幅や周波数ごとの振幅の形状を解析し、予め記憶手段２０１に格納された泣き声の時系列の振幅や周波数ごとの振幅の特徴を示す泣き声情報とを比較する。そして、比較の結果両者が一致、若しくは近似しているときに、処理手段２０２は、被保護者音声情報が泣き声であると判別する。そして、被保護者音声情報が泣き声であると判別すると、処理手段２０２は、受信した被保護者音声情報の泣き声の継続時間を計測する（Ｓ２０２）。前記計測において泣き声が所定の時間以上継続することを条件として、処理手段２０２は、記憶手段から保護者音声ファイルを読み出す（Ｓ２０３）。保護者音声ファイルを読み出すと、処理手段２０２は、通信手段２０３を介して前記読み出した保護者音声ファイルを被保護者端末２２に送信する（Ｓ２０４）。
【００７２】
保護者音声ファイル２０１ａが送信されると、被保護者端末２２の処理手段は、通信手段を介して保護者音声ファイル２０１ａを受信する。そして、被保護者端末２２の処理手段は、保護者音声ファイル２０１ａを音声情報の再生手段を介して再生する。
【００７３】
ここで、保護者音声ファイルは、ＭＰ３フォーマットのような汎用性のあるファイル形式を使用することとしてもよい。
【００７４】
また、保護者音声ファイルは、保護者の心音や脈動音が記録された音声ファイルとしてもよい。
【００７５】
さらに、保護者音声ファイルには、保護者の映像が記録された画像データを含ませることとしてもよい。
【００７６】
以上説明したように、本実施形態にかかる、保護者音声ファイル配信装置では、被保護者が長時間泣いているときに自動的に保護者の音声等が記録されたファイルが被保護者側に送信される。よって、前記送信された保護者の音声等が記録されたファイルを被保護者側で再生することにより、自動的に被保護者を落ち着かせることができるため保護者は安心感を得ることができる。さらに、上記処理が自動的に行なわれることにより託児所側のストレスを無くし業務の効率化を図ることができる。
【００７７】
［保護者音声ファイル配信装置の第２の実施形態］
【００７８】
以下、本発明の実施形態を図５乃至図６に基いて説明する。
【００７９】
図５は、第２の保護者音声ファイル配信システム全体を示すブロック図である。
【００８０】
被保護者端末２３は、インターネット１３を介して保護者音声ファイル配信装置３００に接続されている。
【００８１】
被保護者端末２３は、不図示の情報の処理手段、外部装置との通信手段、音声情報の取得手段、音声情報の再生手段を含む。ここで、情報の処理手段は、ＭＰＵなどの演算装置である。また、通信手段は、ネットワークインターフェースであって、たとえば、モデム、ターミナルアダプタ、ＬＡＮボードなどの通信装置である。また、音声情報の取得手段とは、マイクや取得した音声を増幅するアンプ、音声情報のみを抽出するフィルターを含む手段である。また、音声情報の再生手段とは、受信した保護者音声ファイルを処理手段がアナログ音声に変換した後、当該アナログ音声を増幅するアンプや出力するスピーカーを含む。そして、これら通信手段、音声情報の取得手段は、各機器用のインターフェースやバスなどを介して処理手段に接続されている。
【００８２】
保護者音声ファイル配信装置３００は、記憶手段３０１、処理手段３０２、外部装置との通信手段３０３とを備えている。
【００８３】
ここで、記憶手段３０１は、ＲＡＭやＲＯＭなどのメモリや、ハードディスクドライブ、フレキシブルディスク、ＭＯなどの読み書き可能な記憶媒体及び、ＣＤ−ＲＯＭドライブなどの読みこみ可能な記憶媒体である。図５では、便宜上１つの記憶手段のみが記載されているが、複数の記憶媒体を分散配置した構成であってもよい。
【００８４】
また、記憶手段３０１の所定の領域には、音声解析情報３０１ａと保護者音声ファイル３０１ｂが関連付けて格納されている。音声解析情報３０１ａは、泣き方の種別の特徴を記録した情報であり、たとえば「ぐずり」「夜鳴き」などの泣き方の特徴が記録された情報である。また、「ぐずり」や「夜鳴き」などの泣き方の特徴が記録された情報とは、「ぐずり」や「夜鳴き」などに特有の時系列における振幅パターンや、特定の周波数領域ごとの振幅の形状などの情報である。一方、保護者音声ファイル３０１ｂは、保護者の音声が記録されたファイルであり、保護者による子守唄や保護者の心音などの、被保護者に聴かせると被保護者が落ち着く音声が記録されたファイルである。
【００８５】
また、記憶手段３０１の所定の領域には、被保護者音声情報を記憶する不図示の被保護者音声情報記憶領域が用意されている。被保護者音声情報とは、被保護者が発する泣き声などの音声情報である。
【００８６】
処理手段３０２は、ＭＰＵなどの演算装置である。ただし１つに限られるものではなく、複数のＭＰＵや複数種類の演算装置により分散処理を可能としたものであってもよい。
【００８７】
通信手段３０３は、ネットワークインターフェースであって、たとえばモデム、ターミナルアダプタ、ＬＡＮボードなどの通信装置である。
【００８８】
そして、記憶手段３０１、外部装置との通信手段３０３は各機器用のインターフェースやバスなどを介して、処理手段３０２に接続されている。
【００８９】
次に、本実施形態における保護者音声ファイル配信システムの動作について図６を用いて説明する。図６は、保護者音声ファイル配信処理を示すフローチャートである。
【００９０】
まず、被保護者端末２３の処理手段は、音声の取得手段を介して被保護者から被保護者音声情報を取得する。そして、被保護者端末２３の処理手段は、取得した被保護者音声情報を通信手段を介して保護者音声ファイル配信装置３００に送信する。
【００９１】
被保護者音声情報が送信されると、処理手段３０２は、通信手段３０３を介して被保護者端末から被保護者音声情報を受信する（Ｓ３０１）。被保護者音声情報を受信すると、処理手段３０２は、受信した被保護者音声情報を解析し、解析結果と一致する音声解析情報を記憶手段３０１から特定する（Ｓ３０２）。具体的には、被保護者音声情報を時系列の振幅や周波数領域ごとの振幅の形状を解析し、当該解析した時系列の振幅や周波数領域ごとの振幅の形状に一致する音声解析情報を特定する。ここで、「時系列の振幅や周波数領域ごとの振幅の形状に一致する」とは、時系列の振幅や周波数領域ごとの振幅の形状に相似する場合や、近似する場合を含む。
【００９２】
音声解析情報を特定すると、処理手段３０２は、記憶手段３０１から特定した音声解析情報３０１ａに関連付けられた保護者音声ファイル３０１ｂを読み出す（Ｓ３０３）。保護者音声ファイル３０１ｂを読み出すと、処理手段３０２は、読み出した保護者音声ファイル３０１ｂを被保護者端末９０に送信する（Ｓ３０４）。
【００９３】
保護者音声ファイル３０１ｂが送信されると、被保護者端末２３の処理手段は、通信手段を介して保護者音声ファイル３０１ｂを受信する。そして、被保護者端末２３の処理手段は、保護者音声ファイル３０１ｂを音声情報の再生手段を介して再生する。
【００９４】
ここで、保護者音声ファイルは、ＭＰ３フォーマットのような汎用性のあるファイル形式を使用することとしてもよい。
【００９５】
また、保護者音声ファイルは、保護者の心音や脈動音が記録された音声ファイルとしてもよい。
【００９６】
さらに、保護者音声ファイルには、保護者の映像が記録された画像データを含ませることとしてもよい。
【００９７】
以上説明したように、本実施形態にかかる、保護者音声ファイル配信装置では、被保護者の発する音声を解析し、発せられた音声に適した保護者音声ファイルを送信する。たとえば「ぐずり」の音声解析情報に母親の子守唄ファイルを関連付けておくことで、被保護者がぐずったときに自動的に母親の子守唄を聞かせることができる。これにより、被保護者を落ち着かせることができるため、保護者は安心感を得ることができる。さらに、上記処理が自動的に行なわれることにより託児所側のストレスを無くし業務の効率化を図ることができる。
【００９８】
［保護者音声ファイル配信装置の第３の実施形態］
【００９９】
以下、本発明の実施形態を図７乃至図８に基いて説明する。
【０１００】
図７は、第３の保護者音声ファイル配信システムの全体を示すブロック図である。
【０１０１】
被保護者端末２４は、インターネット１４を介して保護者音声ファイル配信装置４００に接続されている。
【０１０２】
被保護者端末２４は、不図示の情報の処理手段、外部装置との通信手段、音声情報の取得手段、音声情報の再生手段を含む。ここで、情報の処理手段は、ＭＰＵなどの演算装置である。また、通信手段は、ネットワークインターフェースであって、たとえばモデム、ターミナルアダプタ、ＬＡＮボードなどの通信装置である。また、音声情報の取得手段とは、マイクや取得した音声を増幅するアンプ、音声情報のみを抽出するフィルターを含む手段である。また、音声情報の再生手段とは、受信した保護者音声ファイルを処理手段がアナログ音声に変換した後、当該アナログ音声を増幅するアンプや出力するスピーカーを含む。そして、これら通信手段、音声情報の取得手段、音声情報の再生手段は、各機器用のインターフェースやバスなどを介して処理手段に接続されている。
【０１０３】
保護者音声ファイル配信装置４００は、記憶手段４０１、処理手段４０２、外部装置との通信手段４０３とを備えている。
【０１０４】
ここで、記憶手段４０１は、ＲＡＭやＲＯＭなどのメモリや、ハードディスクドライブ、フレキシブルディスク、ＭＯなどの読み書き可能な記憶媒体及び、ＣＤ−ＲＯＭドライブなどの読みこみ可能な記憶媒体である。図７では、便宜上１つの記憶手段のみが記載されているが、複数の記憶媒体を分散配置した構成であってもよい。
【０１０５】
また、記憶手段４０１の所定の領域には、音声種別解析情報４０１ａと被保護者音声解析情報４０１ｂと、保護者音声ファイル４０１ｃとが関連付けられて格納されている。そして、音声種別解析情報４０１ａは、泣き方の種別の特徴を記録した情報であり、たとえば「ぐずり」「夜鳴き」などの泣き方の特徴が記録された情報である。また、「ぐずり」や「夜鳴き」などの泣き方の特徴が記録された情報とは、「ぐずり」や「夜鳴き」などに特有の時系列における振幅パターンや、特定の周波数領域ごとの振幅の形状などの情報である。被保護者音声解析情報４０１ｂは、個々の被保護者の声の特徴を示す情報であり、個々の被保護者の声紋の情報である。そして保護者音声ファイル４０１ｃは、保護者の音声が記録されたファイルであり、保護者による子守唄や保護者の心音などの、被保護者に聴かせると被保護者が落ち着く音声が記録されたファイルである。
【０１０６】
処理手段４０２は、ＭＰＵなどの演算装置である。ただし１つに限られるものではなく、複数のＭＰＵや複数種類の演算装置により分散処理を可能としたものであってもよい。
【０１０７】
通信手段４０３は、ネットワークインターフェースであって、たとえば、モデム、ターミナルアダプタ、ＬＡＮボードなどの通信装置である。
【０１０８】
そして、記憶手段４０１、外部装置との通信手段４０３は各機器用のインターフェースやバスなどを介して、処理手段４０２に接続されている。
【０１０９】
次に、本実施形態における保護者音声ファイル配信システムの動作について図８を用いて説明する。図８は、保護者音声ファイル配信処理を示すフローチャートである。
【０１１０】
まず、被保護者端末２４の処理手段は、音声の取得手段を介して被保護者から被保護者音声情報を取得する。そして、被保護者端末２４の処理手段は、取得した被保護者音声情報を通信手段を介して保護者音声ファイル配信装置４００に送信する。
【０１１１】
被保護者音声情報が送信されると、処理手段４０２は、通信手段４０３を介して被保護者端末から被保護者音声情報を受信する（Ｓ４０１）。被保護者音声情報を受信すると、処理手段４０２は、受信した被保護者音声情報を解析し、解析結果と一致する音声種別解析情報を記憶手段４０１から特定する（Ｓ４０２）。具体的には、被保護者音声情報を時系列の振幅や周波数領域ごとの振幅の形状を解析し、当該解析した時系列の振幅や周波数領域ごとの振幅の形状に一致する音声解析情報を特定する。ここで、「時系列の振幅や周波数領域ごとの振幅の形状に一致する」とは、時系列の振幅や周波数領域ごとの振幅の形状に相似する場合や、近似する場合を含む。
【０１１２】
さらに、処理手段４０２は、受信した被保護者音声情報を解析し、解析結果と一致する前記被保護者音声解析情報を記憶手段４０１から特定する（Ｓ４０３）。具体的には、まず処理手段４０２は、被保護者音声情報から被保護者の声紋を抽出する。そして、処理手段４０２は、抽出した声紋パターンと一致する被保護者音声解析情報を特定する。
【０１１３】
つぎに、処理手段４０２は、特定した音声種別解析情報４０１ａと被保護者音声解析情報４０１ｂとに関連付けられた保護者音声ファイル４０１ｃを記憶手段４０１から読み出す（Ｓ４０４）。保護者音声ファイル４０１ｃを読み出すと、処理手段４０２は、読み出した保護者音声ファイル４０１ｃを被保護者端末９５に送信する（Ｓ４０５）。
【０１１４】
保護者音声ファイルが送信されると、被保護者端末２４の処理手段は、通信手段を介して保護者音声ファイル４０１ｃを受信する。そして、被保護者端末２４の処理手段は、保護者音声ファイル４０１ｃを音声情報の再生手段を介して再生する。
【０１１５】
ここで、保護者音声ファイル４０１ｃは、ＭＰ３フォーマットのような汎用性のあるファイル形式を使用することとしてもよい。
【０１１６】
また、保護者音声ファイルは、保護者の心音や脈動音が記録された音声ファイルとしてもよい。
【０１１７】
さらに、保護者音声ファイルには、保護者の映像が記録された画像データを含ませることとしてもよい。
【０１１８】
以上説明したように、本実施形態にかかる、保護者音声ファイル配信装置４００は、被保護者の発する音声を解析し、発せられた音声と音声を発した個体に適した保護者音声ファイルを送信するため、被保護者端末は被保護者の状況に合った保護者音声ファイルを再生することができる。そして、被保護者に保護者の音声を聞かせることができ、被保護者を落ち着かせることができる。またこれにより、被保護者を落ち着かせることができるため保護者は安心感を得ることができる。さらに、上記処理が自動的に行なわれることにより託児所側のストレスを無くし業務の効率化を図ることができる。
【０１１９】
［保護者画像ファイル配信装置の第１の実施形態］
【０１２０】
以下、本発明の実施形態を図９乃至図１０に基いて説明する。
【０１２１】
図９は、第１の保護者画像ファイル配信システムの全体を示すブロック図である。
【０１２２】
被保護者端末２５は、被保護者音声情報を被保護者から取得し、当該被保護者音声情報を保護者画像ファイル配信装置５００に送信し、さらに保護者画像ファイル配信装置５００から送信された保護者画像ファイルを再生し表示する端末である。
【０１２３】
より詳細には、被保護者端末２５は、インターネット１５を介して保護者画像ファイル配信装置５００に接続されている。そして、被保護者端末２５は、不図示の情報の処理手段、外部装置との通信手段、音声情報の取得手段、画像表示手段とを備える。ここで、処理手段は、ＭＰＵなどの演算装置である。また、通信手段は、ネットワークインターフェースであって、たとえば、モデム、ターミナルアダプタ、ＬＡＮボードなどの通信装置である。また、音声情報の取得手段とは、マイクや取得した音声を増幅するアンプ、音声情報のみを抽出するフィルターなどを含む手段である。また、画像表示手段は、受信した保護者画像ファイルが画像表示手段に表示できる映像信号に変換された後、当該映像信号を表示する手段であって、たとえば液晶モニタやＣＲＴディスプレイである。そして、上記の通信手段、音声情報の取得手段、画像表示手段は、各機器のインターフェースやバスなどを介して、処理手段に接続されている。
【０１２４】
保護者画像ファイル配信装置５００は、情報の記憶手段５０１、情報の処理手段５０２、外部装置との通信手段５０３とを備えている。
【０１２５】
ここで、記憶手段５０１は、ＲＡＭやＲＯＭなどのメモリや、ハードディスクドライブ、フレキシブルディスク、ＭＯなどの読み書き可能な記憶媒体及び、ＣＤ−ＲＯＭドライブなどの読みこみ可能な記憶媒体である。図９では、便宜上１つの記憶手段のみが記載されているが、複数の記憶媒体を分散配置した構成であってもよい。
【０１２６】
また、記憶手段５０１の所定の領域には、保護者画像ファイル５０１ａが格納されている。保護者画像ファイル５０１ａは、保護者の映像が記録されたファイルであり、保護者の姿や保護者の笑顔などの、被保護者に見せると被保護者が落ち着く映像が記録されたファイルである。
【０１２７】
また、記憶手段の所定の領域には、被保護者音声情報を記憶する不図示の被保護者音声情報記憶領域が用意されている。被保護者音声情報とは、被保護者が発する泣き声などの音声情報である。
【０１２８】
さらに、記憶手段５０１の所定の領域には、不図示の、泣き声情報が格納されている。泣き声情報とは、泣き声の時系列の振幅や周波数ごとの振幅などの、泣き声の特徴を記録した情報である。
【０１２９】
外部装置との通信手段５０３は、ネットワークインターフェースであって、たとえばモデムやＬＡＮボードなどの通信装置である。さらに通信手段５０３は、これらの通信装置と処理手段５０２とを接続するインターフェースなども含む。
【０１３０】
処理手段５０２は、ＭＰＵなどの演算装置である。ただし１つに限られるものではなく、複数のＭＰＵや複数種類の演算装置により分散処理を可能としたものであってもよい。
【０１３１】
そして、記憶手段５０１、外部装置との通信手段５０３は各機器用のインターフェースやバスなどを介して、処理手段５０２に接続されている。
【０１３２】
次に、本実施形態における保護者画像ファイル配信システムの動作について図１０を用いて説明する。図１０は、保護者画像ファイル配信処理を示すフローチャートである。
【０１３３】
まず、前段階として被保護者端末２５の処理手段は、音声の取得手段を介して被保護者から被保護者音声情報を取得する。そして、被保護者端末２５の処理手段は、取得した被保護者音声情報を被保護者端末２５の通信手段を介して、保護者画像ファイル配信装置５００に送信する。
【０１３４】
上述の動作に引き続き、保護者画像ファイル配信装置５００上において、処理手段５０２は、通信手段５０３を介して被保護者端末２５から被保護者音声情報を受信する（Ｓ５０１）。被保護者音声情報を受信すると、処理手段５０２は、被保護者音声情報を解析し、当該音声が泣き声であるか否かを判別する。具体的には、処理手段５０２は、被保護者音声情報の時系列の振幅や周波数ごとの振幅の形状を解析し、予め記憶手段５０１に格納された泣き声の時系列の振幅や周波数ごとの振幅の特徴を示す泣き声情報とを比較する。そして、比較の結果両者が一致、若しくは近似しているときに、処理手段５０２は、被保護者音声情報が泣き声であると判別する。そして、被保護者音声情報が泣き声であると判別すると、処理手段５０２は、受信した被保護者音声情報の泣き声の継続時間を計測する（Ｓ５０２）。前記計測において泣き声が所定の時間以上継続することを条件として、処理手段５０２は、記憶手段から保護者画像ファイルを読み出す（Ｓ５０３）。保護者画像ファイルを読み出すと、処理手段２０２は、通信手段２０３を介して前記読み出した保護者画像ファイルを被保護者端末２５に送信する（Ｓ５０４）。
【０１３５】
保護者画像ファイル５０１ａが送信されると、被保護者端末２５の処理手段は、通信手段を介して保護者画像ファイル５０１ａを受信する。そして、被保護者端末２５の処理手段は、保護者画像ファイル５０１ａを音声情報の再生手段を介して再生する。
【０１３６】
ここで、保護者画像ファイルは、ＪＰＥＧフォーマットのような汎用性のあるファイル形式を使用することとしてもよい。また、保護者画像ファイルは、動画ファイルであってもよく、ＭＰＥＧフォーマットのような汎用性のあるファイル形式を使用することとしてもよい。
【０１３７】
また、保護者画像ファイルには、保護者の音声や心音が記録された音声データを含ませることとしてもよい。
【０１３８】
以上説明したように、本実施形態にかかる、保護者画像ファイル配信装置では、被保護者が長時間泣いているときに自動的に保護者の画像等が記録されたファイルが被保護者側に送信される。よって、前記送信された保護者の画像等が記録されたファイルを被保護者側で再生し表示することにより、自動的に被保護者を落ち着かせることができるため保護者は安心感を得ることができる。さらに、上記処理が自動的に行なわれることにより託児所側のストレスを無くし業務の効率化を図ることができる。
【０１３９】
［保護者画像ファイル配信装置の第２の実施形態］
【０１４０】
以下、本発明の実施形態を図１１乃至図１２に基いて説明する。
【０１４１】
図１１は、第２の保護者画像ファイル配信システム全体を示すブロック図である。
【０１４２】
被保護者端末２６は、インターネット１６を介して保護者画像ファイル配信装置６００に接続されている。
【０１４３】
被保護者端末２６は、不図示の情報の処理手段、外部装置との通信手段、音声情報の取得手段、画像表示手段とを備える。ここで、情報の処理手段は、ＭＰＵなどの演算装置である。また、通信手段は、ネットワークインターフェースであって、たとえば、モデム、ターミナルアダプタ、ＬＡＮボードなどの通信装置である。また、音声情報の取得手段とは、マイクや取得した音声を増幅するアンプ、音声情報のみを抽出するフィルターを含む手段である。また、画像表示手段は、受信した保護者画像ファイルが画像表示手段に表示できる映像信号に変換された後、当該映像信号を表示する手段であって、たとえば液晶モニタやＣＲＴディスプレイである。そして、これら通信手段、音声情報の取得手段、画像表示手段は、各機器用のインターフェースやバスなどを介して処理手段に接続されている。
【０１４４】
保護者画像ファイル配信装置６００は、記憶手段６０１、処理手段６０２、外部装置との通信手段６０３とを備えている。
【０１４５】
ここで、記憶手段６０１は、ＲＡＭやＲＯＭなどのメモリや、ハードディスクドライブ、フレキシブルディスク、ＭＯなどの読み書き可能な記憶媒体及び、ＣＤ−ＲＯＭドライブなどの読みこみ可能な記憶媒体である。図１１では、便宜上１つの記憶手段のみが記載されているが、複数の記憶媒体を分散配置した構成であってもよい。
【０１４６】
また、記憶手段６０１の所定の領域には、音声解析情報６０１ａと保護者画像ファイル６０１ｂが関連付けて格納されている。音声解析情報６０１ａは、泣き方の種別の特徴を記録した情報であり、たとえば「ぐずり」「夜鳴き」などの泣き方の特徴が記録された情報である。また、「ぐずり」や「夜鳴き」などの泣き方の特徴が記録された情報とは、「ぐずり」や「夜鳴き」などに特有の時系列における振幅パターンや、特定の周波数領域ごとの振幅の形状などの情報である。一方、保護者画像ファイル６０１ｂは、保護者の映像が記録されたファイルであり、保護者の姿や保護者の笑顔などの、被保護者に見せると被保護者が落ち着く映像が記録されたファイルである。
【０１４７】
また、記憶手段６０１の所定の領域には、被保護者音声情報を記憶する不図示の被保護者音声情報記憶領域が用意されている。被保護者音声情報とは、被保護者が発する泣き声などの音声情報である。
【０１４８】
処理手段６０２は、ＭＰＵなどの演算装置である。ただし１つに限られるものではなく、複数のＭＰＵや複数種類の演算装置により分散処理を可能としたものであってもよい。
【０１４９】
通信手段６０３は、ネットワークインターフェースであって、たとえばモデム、ターミナルアダプタ、ＬＡＮボードなどの通信装置である。
【０１５０】
そして、記憶手段６０１、外部装置との通信手段６０３は各機器用のインターフェースやバスなどを介して、処理手段６０２に接続されている。
【０１５１】
次に、本実施形態における保護者画像ファイル配信システムの動作について図１２を用いて説明する。図１２は、保護者画像ファイル配信処理を示すフローチャートである。
【０１５２】
まず、被保護者端末２６の処理手段は、音声の取得手段を介して被保護者から被保護者音声情報を取得する。そして、被保護者端末２６の処理手段は、取得した被保護者音声情報を通信手段を介して保護者音声ファイル配信装置６００に送信する。
【０１５３】
被保護者音声情報が送信されると、処理手段６０２は、通信手段６０３を介して被保護者端末から被保護者音声情報を受信する（Ｓ６０１）。被保護者音声情報を受信すると、処理手段６０２は、受信した被保護者音声情報を解析し、解析結果と一致する音声解析情報を記憶手段６０１から特定する（Ｓ６０２）。具体的には、被保護者音声情報を時系列の振幅や周波数領域ごとの振幅の形状を解析し、当該解析した時系列の振幅や周波数領域ごとの振幅の形状に一致する音声解析情報を特定する。ここで、「時系列の振幅や周波数領域ごとの振幅の形状に一致する」とは、時系列の振幅や周波数領域ごとの振幅の形状に相似する場合や、近似する場合を含む。
【０１５４】
音声解析情報を特定すると、処理手段６０２は、記憶手段６０１から特定した音声解析情報６０１ａに関連付けられた保護者画像ファイル６０１ｂを読み出す（Ｓ６０３）。保護者画像ファイル６０１ｂを読み出すと、処理手段６０２は、読み出した保護者画像ファイル６０１ｂを被保護者端末２６に送信する（Ｓ６０４）。
【０１５５】
保護者画像ファイル６０１ｂが送信されると、被保護者端末２６の処理手段は、通信手段を介して保護者画像ファイル６０１ｂを受信する。そして、被保護者端末２６の処理手段は、保護者画像ファイル６０１ｂを画像表示手段を介して再生し表示する。
【０１５６】
ここで、保護者画像ファイルは、ＪＰＥＧフォーマットのような汎用性のあるファイル形式を使用することとしてもよい。また、保護者画像ファイルは、動画ファイルであってもよく、ＭＰＥＧフォーマットのような汎用性のあるファイル形式を使用することとしてもよい。
【０１５７】
また、保護者画像ファイルには、保護者の音声や心音が記録された音声データを含ませることとしてもよい。
【０１５８】
以上説明したように、本実施形態にかかる、保護者画像ファイル配信装置では、被保護者の発する音声を解析し、発せられた音声に適した保護者画像ファイルを送信する。たとえば「ぐずり」の音声解析情報に母親の笑顔の画像ファイルを関連付けておくことで、被保護者がぐずったときに自動的に母親の笑顔の画像を見せることが出きる。これにより、被保護者を落ち着かせることができるため、保護者は安心感を得ることができる。さらに、上記処理が自動的に行なわれることにより託児所側のストレスを無くし業務の効率化を図ることができる。
【０１５９】
［保護者画像ファイル配信装置の第３の実施形態］
【０１６０】
以下、本発明の実施形態を図１３乃至図１４に基いて説明する。
【０１６１】
図１３は、第３の保護者画像ファイル配信システムの全体を示すブロック図である。
【０１６２】
被保護者端末２７は、インターネット１７を介して保護者画像ファイル配信装置７００に接続されている。
【０１６３】
被保護者端末２７は、不図示の情報の処理手段、外部装置との通信手段、音声情報の取得手段、画像表示手段とを備える。ここで、情報の処理手段は、ＭＰＵなどの演算装置である。また、通信手段は、ネットワークインターフェースであって、たとえばモデム、ターミナルアダプタ、ＬＡＮボードなどの通信装置である。また、音声情報の取得手段とは、マイクや取得した音声を増幅するアンプ、音声情報のみを抽出するフィルターを含む手段である。また、画像表示手段は、受信した保護者画像ファイルを処理手段が画像表示手段に表示できる映像信号に変換した後、当該映像信号を表示する手段であって、たとえば液晶モニタやＣＲＴディスプレイである。そして、これら通信手段、音声情報の取得手段、画像表示手段は、各機器用のインターフェースやバスなどを介して処理手段に接続されている。
【０１６４】
保護者画像ファイル配信装置７００は、記憶手段７０１、処理手段７０２、外部装置との通信手段７０３とを備えている。
【０１６５】
ここで、記憶手段７０１は、ＲＡＭやＲＯＭなどのメモリや、ハードディスクドライブ、フレキシブルディスク、ＭＯなどの読み書き可能な記憶媒体及び、ＣＤ−ＲＯＭドライブなどの読みこみ可能な記憶媒体である。図１３では、便宜上１つの記憶手段のみが記載されているが、複数の記憶媒体を分散配置した構成であってもよい。
【０１６６】
また、記憶手段７０１の所定の領域には、音声種別解析情報７０１ａと被保護者音声解析情報７０１ｂと、保護者画像ファイル７０１ｃとが関連付けられて格納されている。そして、音声種別解析情報７０１ａは、泣き方の種別の特徴を記録した情報であり、たとえば「ぐずり」「夜鳴き」などの泣き方の特徴が記録された情報である。また、「ぐずり」や「夜鳴き」などの泣き方の特徴が記録された情報とは、「ぐずり」や「夜鳴き」などに特有の時系列における振幅パターンや、特定の周波数領域ごとの振幅の形状などの情報である。被保護者音声解析情報７０１ｂは、個々の被保護者の声の特徴を示す情報であり、個々の被保護者の声紋の情報である。そして保護者画像ファイル７０１ｃは、保護者の映像が記録されたファイルであり、保護者の姿や保護者の笑顔などの、被保護者に見せると被保護者が落ち着く映像が記録されたファイルである。
【０１６７】
処理手段７０２は、ＭＰＵなどの演算装置である。ただし１つに限られるものではなく、複数のＭＰＵや複数種類の演算装置により分散処理を可能としたものであってもよい。
【０１６８】
通信手段７０３は、ネットワークインターフェースであって、たとえば、モデム、ターミナルアダプタ、ＬＡＮボードなどの通信装置である。
【０１６９】
そして、記憶手段７０１、外部装置との通信手段７０３は各機器用のインターフェースやバスなどを介して、処理手段７０２に接続されている。
【０１７０】
次に、本実施形態における保護者画像ファイル配信システムの動作について図１４を用いて説明する。図１４は、保護者画像ファイル配信処理を示すフローチャートである。
【０１７１】
まず、被保護者端末２７の処理手段は、音声の取得手段を介して被保護者から被保護者音声情報を取得する。そして、被保護者端末２７の処理手段は、取得した被保護者音声情報を通信手段を介して保護者画像ファイル配信装置７００に送信する。
【０１７２】
被保護者音声情報が送信されると、処理手段７０２は、通信手段７０３を介して被保護者端末から被保護者音声情報を受信する（Ｓ７０１）。被保護者音声情報を受信すると、処理手段７０２は、受信した被保護者音声情報を解析し、解析結果と一致する音声種別解析情報を記憶手段７０１から特定する（Ｓ７０２）。具体的には、被保護者音声情報を時系列の振幅や周波数領域ごとの振幅の形状を解析し、当該解析した時系列の振幅や周波数領域ごとの振幅の形状に一致する音声解析情報を特定する。ここで、「時系列の振幅や周波数領域ごとの振幅の形状に一致する」とは、時系列の振幅や周波数領域ごとの振幅の形状に相似する場合や、近似する場合を含む。
【０１７３】
さらに、処理手段７０２は、受信した被保護者音声情報を解析し、解析結果と一致する前記被保護者音声解析情報を記憶手段７０１から特定する（Ｓ７０３）。具体的には、まず処理手段７０２は、被保護者音声情報から被保護者の声紋を抽出する。そして、処理手段７０２は、抽出した声紋パターンと一致する被保護者音声解析情報を特定する。
【０１７４】
つぎに、処理手段７０２は、特定した音声種別解析情報７０１ａと被保護者音声解析情報７０１ｂとに関連付けられた保護者画像ファイル７０１ｃを記憶手段７０１から読み出す（Ｓ７０４）。保護者画像ファイル７０１ｃを読み出すと、処理手段７０２は、読み出した保護者画像ファイル７０１ｃを被保護者端末２７に送信する（Ｓ７０５）。
【０１７５】
保護者画像ファイルが送信されると、被保護者端末２７の処理手段は、通信手段を介して保護者画像ファイル７０１ｃを受信する。そして、被保護者端末２７の処理手段は、保護者画像ファイル７０１ｃを画像表示手段を介して再生し表示する。
【０１７６】
ここで、保護者画像ファイルは、ＪＰＥＧフォーマットのような汎用性のあるファイル形式を使用することとしてもよい。また、保護者画像ファイルは、動画ファイルであってもよく、ＭＰＥＧフォーマットのような汎用性のあるファイル形式を使用することとしてもよい。
【０１７７】
さらに、保護者画像ファイルには、保護者の音声や心音が記録された音声データを含ませることとしてもよい。
【０１７８】
以上説明したように、本実施形態にかかる、保護者画像ファイル配信装置７００は、被保護者の発する音声を解析し、発せられた音声と音声を発した個体に適した保護者画像ファイルを送信するため、被保護者端末は被保護者の状況に合った保護者画像ファイルを表示することができる。そして、被保護者に保護者の画像を見せることができ、被保護者を落ち着かせることができる。またこれにより、被保護者を落ち着かせることができるため保護者は安心感を得ることができる。さらに、上記処理が自動的に行なわれることにより託児所側のストレスを無くし業務の効率化を図ることができる。
【０１７９】
［保護者端末接続装置の実施形態］
【０１８０】
以下、本発明の実施形態を図１５乃至図１６に基いて説明する。
【０１８１】
図１５は、保護者端末接続システムの全体を示すブロック図である。
【０１８２】
被保護者端末２８は、被保護者音声情報を被保護者から取得し、当該被保護者音声情報を保護者端末接続装置８００に送信する端末である。保護者端末４８は、映像情報の視聴が可能な携帯電話などの携帯情報端末である。
【０１８３】
被保護者端末２８は、インターネット１８を介して保護者端末接続装置８００に接続されている。また、保護者端末４８は、インターネット１８と携帯端末回線網３８を介して保護者端末接続装置８００に接続されている。尚、保護者端末４８は、携帯回線網に接続せずインターネットプロバイダなどを介してインターネット１８に接続するＰＤＡ端末やコンピュータ端末であってもよい。
【０１８４】
被保護者端末２８は、不図示の、情報の処理手段、外部装置との通信手段、音声情報の取得手段とを備える。ここで、被保護者端末２８の処理手段は、ＭＰＵなどの演算装置である。また、被保護者端末２８の通信手段は、モデム、携帯電話端末、ターミナルアダプタ、ＬＡＮボードなどの通信装置である。また、音声情報の取得手段とは、マイクや取得した音声を増幅するアンプ、音声情報のみを抽出するフィルターを含む手段である。そして、上記の通信手段、音声情報の取得手段は、各機器のインターフェースやバスなどを介して、処理手段に接続されている。
【０１８５】
保護者端末４８は、不図示の情報の処理手段、外部装置との通信手段、映像の視聴手段とを備える。ここで、保護者端末４８の処理手段は、携帯電話に内蔵されるＭＰＵなどの演算装置である。また、保護者端末４８の通信手段は、携帯電話端末に内蔵されるデータの送受信装置である。また、映像の視聴手段とは、携帯電話端末の液晶表示装置やスピーカである。
【０１８６】
保護者端末接続装置８００は、記憶手段８０１、処理手段８０２、外部装置との通信手段８０３とを備えている。
【０１８７】
ここで、記憶手段８０１は、ＲＡＭやＲＯＭなどのメモリや、ハードディスクドライブ、フレキシブルディスク、ＭＯなどの読み書き可能な記憶媒体及び、ＣＤ−ＲＯＭドライブなどの読みこみ可能な記憶媒体である。図１５では、便宜上１つの記憶手段のみが記載されているが、複数の記憶媒体を分散配置した構成であってもよい。
【０１８８】
また、記憶手段８０１の所定の領域には、被保護者音声解析情報８０１ａと保護者接続先情報８０１ｂが関連付けて格納されている。
【０１８９】
被保護者音声解析情報８０１ａは、個々の被保護者の声の特徴を示す情報である個々の被保護者の声紋の情報である。
【０１９０】
一方、保護者接続先情報８０１ｂは、保護者が使用する端末の接続先を示す情報であり、映像情報の視聴が可能な携帯電話の電話番号や保護者の端末のＩＰアドレスなどの情報である。
【０１９１】
また、記憶手段の所定の領域には、被保護者音声情報を記憶する不図示の被保護者音声情報記憶領域が用意されている。被保護者音声情報とは、被保護者が発する泣き声などの音声情報である。
【０１９２】
処理手段８０２は、ＭＰＵなどの演算装置である。ただし１つに限られるものではなく、複数のＭＰＵや複数種類の演算装置により分散処理を可能としたものであってもよい。
【０１９３】
通信手段８０３は、通信インターフェースであって、たとえばＬＡＮボードなどの通信装置である。
【０１９４】
そして、記憶手段８０１、外部装置との通信手段８０３は各機器用のインターフェースやバスなどを介して、処理手段８０２に接続されている。
【０１９５】
次に、本実施形態における保護者端末接続システムの動作について図１６を用いて説明する。図１６は、保護者端末接続処理を示すフローチャートである。
【０１９６】
まず、前段階として被保護者端末２８の処理手段は、音声情報の取得手段を介して被保護者音声情報を取得する。そして、被保護者端末２８の処理手段は、取得した被保護者音声情報を被保護者端末２８の通信手段を介して、保護者端末接続装置に送信する。
【０１９７】
つぎに、被保護者音声情報が送信されると、処理手段８０２は、通信手段８０３を介して被保護者音声情報を受信する（Ｓ８０１）。被保護者音声情報を受信すると、処理手段８０２は、受信した被保護者音声情報を解析し、解析結果と一致する前記被保護者音声解析情報８０１ａを記憶手段８０１から特定する（Ｓ８０２）。具体的には、処理手段８０２は、被保護者音声情報から被保護者の声紋を抽出する。そして、処理手段８０２は、抽出した声紋パターンと一致する被保護者音声解析情報８０１ａを特定する。
【０１９８】
被保護者音声解析情報８０１ａを特定すると、処理手段８０２は、特定した被保護者音声解析情報に関連付けられた保護者接続先情報８０１ｂを記憶手段８０１から読み出す（Ｓ８０３）。保護者接続先情報８０１ｂを読み出すと、処理手段８０２は、通信手段８０３を介して、読み出した保護者接続先情報８０１ｂが示す保護者端末４８と被保護者端末２８とを接続する（Ｓ８０４）。
【０１９９】
以上説明したように、本実施形態にかかる、保護者端末接続装置では、被保護者の音声を解析し、解析結果に基いて被保護者端末２８を対応する保護者端末４８に自動接続するため、保護者と被保護者は映像や音声の送受信をすることができる。これにより、保護者と被保護者は保護者端末４８と被保護者端末２８を介してお互いの音声と映像を送受信することが出来るため、双方に安心感を与えることができる。
【０２００】
また、上記動作の後、次の動作を行なう。
【０２０１】
さらに、処理手段８０２は、保護者端末４８と被保護者端末２８とを接続した後に、通信手段８０３を介して少なくとも被保護者端末２８から被保護者映像情報を受信する（Ｓ８０５）。被保護者映像情報を受信すると、処理手段８０２は、受信した被保護者映像情報を保護者端末４８に送信する（Ｓ８０６）。ここで、処理手段８０２は、被保護者映像情報だけでなく被保護者の音声である被保護者音声情報を保護者端末４８に送信することとしてもよい。
【０２０２】
被保護者映像情報が送信されると、保護者端末４８の処理手段は、通信手段を介して被保護者映像情報を受信する。そして、保護者端末４８の処理手段は、映像の視聴手段を介して受信した被保護者映像情報を再生する。
【０２０３】
以上説明したように、さらに上記の動作を行なう保護者端末接続装置８００では、被保護者の音声を解析し、被保護者端末２８と接続対象となる保護者端末４８とを自動接続し、さらに被保護者映像情報を保護者端末４８に送信するため、保護者は被保護者の映像を得ることができる。これにより、保護者は被保護者の様子を遠隔地より観察することができる状況を得ることができるという点で安心感を得ることができる。
【０２０４】
【発明の効果】
本発明によると、処理手段が被保護者の泣き声が所定の時間以上発せられていることを条件として保護者端末を接続し、被保護者映像情報を受信するので、被保護者が長時間泣いている状況になったときに被保護者映像情報を保護者端末に送信することができる。
【０２０５】
また、本発明によると、処理手段が被保護者の泣き声が所定の時間以上発せられていることを条件として保護者音声ファイルを読み出すので、被保護者が長時間泣いている状況になったときに保護者音声ファイルを被保護者端末に送信することができる。
【０２０６】
また、本発明によると、処理手段が被保護者の音声により音声解析情報を特定し、これに関連付けられた保護者音声ファイルを読み出すため、被保護者の泣き方の状況に合った保護者音声ファイルを送信することができる。
【０２０７】
さらに、本発明によると、処理手段が被保護者の音声により音声種別解析情報と被保護者音声解析情報とを特定し、これらに関連付けられた保護者音声ファイルを読み出すため、被保護者の泣き方の状況に合った保護者音声ファイルを送信することができる。
【０２０８】
また、本発明によると、処理手段が被保護者の泣き声が所定の時間以上発せられていることを条件として保護者画像ファイルを読み出すので、被保護者が長時間泣いている状況になったときに保護者画像ファイルを被保護者端末に送信することができる。
【０２０９】
また、本発明によると、処理手段が被保護者の音声により音声解析情報を特定し、これに関連付けられた保護者画像ファイルを読み出すため、被保護者の泣き方の状況に合った保護者画像ファイルを送信することができる。
【０２１０】
本発明によると、処理手段が被保護者の音声により音声種別解析情報と被保護者音声解析情報とを特定し、これらに関連付けられた保護者画像ファイルを読み出すため、被保護者の泣き方の状況に合った保護者画像ファイルを送信することができる。
【０２１１】
また、本発明によると、処理手段が被保護者の音声を解析し、解析結果と一致する音声解析情報を特定するので、確実に接続先を特定すべく固体識別をすることができる。
【図面の簡単な説明】
【図１】被保護者映像配信システムの全体を示すブロック図である
【図２】被保護者映像配信処理を説明するためのフローチャートである
【図３】第１の保護者音声ファイル配信システムの全体を示すブロック図である
【図４】第１の保護者音声ファイル配信処理を示すフローチャートである。
【図５】第２の保護者音声ファイル配信システムの全体を示すブロック図である
【図６】第２の保護者音声ファイル配信処理を示すフローチャートである。
【図７】第３の保護者音声ファイル配信システムの全体を示すブロック図である
【図８】第３の保護者音声ファイル配信処理を示すフローチャートである
【図９】第１の保護者画像ファイル配信システムの全体を示すブロック図である
【図１０】第１の保護者画像ファイル配信処理を示すフローチャートである。
【図１１】第２の保護者画像ファイル配信システムの全体を示すブロック図である
【図１２】第２の保護者画像ファイル配信処理を示すフローチャートである。
【図１３】第３の保護者画像ファイル配信システムの全体を示すブロック図である
【図１４】第３の保護者画像ファイル配信処理を示すフローチャートである
【図１５】保護者端末接続システムの全体を示すブロック図である
【図１６】保護者端末接続処理を示すフローチャートである
【符号の説明】
１１  インターネット
１２  インターネット
１３  インターネット
１４  インターネット
１５  インターネット
１７  インターネット
１８  インターネット
２１  被保護者端末
２２  被保護者端末
２３  被保護者端末
２４  被保護者端末
２５  被保護者端末
２６  被保護者端末
２７  被保護者端末
２８  被保護者端末
３１  携帯端末回線網
３８  携帯端末回線網
４１  保護者端末
４８  保護者端末
１００  被保護者映像配信装置
１０１  記憶手段
１０２  処理手段
１０３  通信手段
２００  保護者音声ファイル配信装置
２０１  記憶手段
２０２  処理手段
２０３  通信手段
３００  保護者音声ファイル配信装置
３０１  記憶手段
３０２  処理手段
３０３  通信手段
４００  保護者音声ファイル配信装置
４０１  記憶手段
４０２  処理手段
４０３  通信手段
５００  保護者画像ファイル配信装置
５０１  記憶手段
５０２  処理手段
５０３  通信手段
６００  保護者画像ファイル配信装置
６０１  記憶手段
６０２  処理手段
６０３  通信手段
７００  保護者画像ファイル配信装置
７０１  記憶手段
７０２  処理手段
７０３  通信手段
８００  保護者端末接続装置
８０１  記憶手段
８０２  処理手段
８０３  通信手段
【図１】
0004805496.tif 000002
【図２】
0004805496.tif 000003
【図３】
0004805496.tif 000004
【図４】
0004805496.tif 000005
【図５】
0004805496.tif 000006
【図６】
0004805496.tif 000007
【図７】
0004805496.tif 000008
【図８】
0004805496.tif 000009
【図９】
0004805496.tif 000010
【図１０】
0004805496.tif 000011
【図１１】
0004805496.tif 000012
【図１２】
0004805496.tif 000013
【図１３】
0004805496.tif 000014
【図１４】
0004805496.tif 000015
【図１５】
0004805496.tif 000016
【図１６】
0004805496.tif 000017